(57)【要約】【課題】加圧ポンプの作動に伴う騒音を、より効果的に低減することのできるコンパクトな構造の加圧ポンプの消音構造を提供する。【解決手段】吸気口２と排気口３を有する加圧ポンプ１と、加圧ポンプを内部に収容し、クッション材８、９を介して加圧ポンプを支持する第１ケース１０と、第１ケースの後端壁に設けられ、第１ケースの内部空間１８を介して加圧ポンプの吸気口と連通した外気取入口１３と、両端にケース内部寸法より小さい２つの接続口２４、２５を有し、一方の接続口２５を外部に対する送気口とし、他方の接続口２４を加圧ポンプの排気口との接続口とした第２ケース２０と、他方の接続口と加圧ポンプの排気口とを繋ぐ柔軟性を有するパイプ３０とを有する。【選択図】図１
2010007481.tif 000002
【特許請求の範囲】
【請求項１】
吸気口と排気口を有する加圧ポンプと、
該加圧ポンプを内部に収容し、クッション材を介して加圧ポンプを支持する第１ケースと、
該第１ケースの壁部の前記加圧ポンプの吸気口から離れた位置に設けられ、前記第１ケースの内部空間を介して加圧ポンプの吸気口と連通した外気取入口と、
両端にケース内部寸法より小さい２つの接続口を有し、一方の接続口を外部に対する送気口とし、他方の接続口を前記加圧ポンプの排気口との接続口とした第２ケースと、
前記他方の接続口と前記加圧ポンプの排気口とを繋ぐ柔軟性を有するパイプと、
を有することを特徴とする加圧ポンプの消音構造。
【請求項２】
請求項１に記載の加圧ポンプの消音構造であって、
前記第１ケースの端壁と前記他方の接続口を有する前記第２ケースの端壁とが兼用されることで、前記第１ケースと第２ケースが一体に結合されており、それにより、前記パイプが全長にわたり前記第１ケースの内部空間内に収容されていることを特徴とする加圧ポンプの消音構造。
【請求項３】
請求項１に記載の加圧ポンプの消音構造であって、
前記第１ケースの端壁と前記他方の接続口を有する前記第２ケースの端壁とがそれぞれ別に設けられることで、前記第１ケースと第２ケースが別体に構成されており、前記第１ケースの端壁に、前記パイプを前記第１ケースの内部空間から外部に導出し得る挿通孔が設けられていることを特徴とする加圧ポンプの消音構造。
【請求項４】
請求項１〜３のいずれか１項に記載の加圧ポンプの消音構造であって、
前記第１ケースが、円筒周壁と、該円筒周壁の両端を塞ぐ両端壁とを有しており、前記加圧ポンプが前記円筒周壁の内周に前記クッション材を介して支持されていることを特徴とする加圧ポンプの消音構造。
【発明の詳細な説明】
【技術分野】
【０００１】
本発明は、自動血圧計やエアマッサージ機等に用いて好適な加圧ポンプの消音装置に関するものである。
【背景技術】
【０００２】
例えば、上腕部や手首などの生体の一部に袋帯状のカフを巻回し、そのカフ内に加圧ポンプから空気を圧送し、所定圧まで昇圧した後の減圧過程においてカフ内の圧力変化を検出し、その検出データにより生体の血圧値を測定する自動血圧計が知られている。
【０００３】
血圧計は静かな環境で測定することが多い。従って、この種の自動血圧計の場合は、加圧ポンプの作動時の音が耳障りになることがある。従来、特許文献１に示されるように、加圧ポンプの吸気側や排気側にサイレンサを接続して、ポンプ作動による騒音の低減を図ることが提案されている。
【０００４】
図４、図５を用いて、この種のサイレンサ付き自動血圧計について簡単に説明する。図４はサイレンサを加圧ポンプの吸気側に配置した場合の例、図５はサイレンサを加圧ポンプの排気側（送気側）に配置した場合の例をそれぞれ示す概略ブロック図である。
【０００５】
図４および図５に示す血圧計は、生体の一部（例えば上腕部）を圧迫するためのカフ１０１と、チューブ１０２でカフ１０１と接続された血圧計本体１１０とを有している。血圧計本体１１０には、カフ１０１を加圧する加圧ポンプ１１５と、カフ１０１の空気を排気する排気制御機構１１３と、カフ１０１内の圧力を検出する圧力センサ１１２と、圧力センサ１１２の検出データに基づいて血圧値を演算する演算手段（図示せず）とが設けられている。また、血圧計本体１１０のケーシングには、演算結果を表示する表示手段や操作手段（図示せず）が設けられている。
【０００６】
加圧ポンプ１１５は、吸気口１１５Ａと排気口１１５Ｂとを有しており、排気口１１５Ａにエア回路１２０を介してカフ１０１に繋がるチューブ１０２が接続されている。また、エア回路１２０には、圧力センサ１１２や排気制御装置１１３が接続されている。そして、図４の例では、吸気口１１５Ａにサイレンサ１１４が接続され、図５の例では、排気口１１５Ｂにサイレンサ１１４が接続されている。
【０００７】
【特許文献１】特開平７−１４８１２４号公報
【発明の開示】
【発明が解決しようとする課題】
【０００８】
ところで、上述した従来の技術では、単に加圧ポンプ１１５の吸気側か排気側にサイレンサ１１４を設けているだけであり、まだまだ十分な騒音低減効果を得るまでには至らない可能性があった。その理由は、加圧ポンプ１１５の作動時の機械的な振動が実際には血圧計のケーシングを通して外部に漏れることが多く、それが静かな環境では意外と耳障りになりやすかったからである。
【０００９】
本発明は、上記事情を考慮し、加圧ポンプの作動に伴う騒音を、より効果的に低減することのできるコンパクトな構造の加圧ポンプの消音構造を提供することを目的とする。
【課題を解決するための手段】
【００１０】
請求項１の発明の加圧ポンプの消音構造は、吸気口と排気口を有する加圧ポンプと、該
加圧ポンプを内部に収容し、クッション材を介して加圧ポンプを支持する第１ケースと、該第１ケースの壁部の前記加圧ポンプの吸気口から離れた位置に設けられ、前記第１ケースの内部空間を介して加圧ポンプの吸気口と連通した外気取入口と、両端にケース内部寸法より小さい２つの接続口を有し、一方の接続口を外部に対する送気口とし、他方の接続口を前記加圧ポンプの排気口との接続口とした第２ケースと、前記他方の接続口と前記加圧ポンプの排気口とを繋ぐ柔軟性を有するパイプと、を有することを特徴とする。
【００１１】
請求項２の発明は、請求項１に記載の加圧ポンプの消音構造であって、前記第１ケースの端壁と前記他方の接続口を有する前記第２ケースの端壁とが兼用されることで、前記第１ケースと第２ケースが一体に結合されており、それにより、前記パイプが全長にわたり前記第１ケースの内部空間内に収容されていることを特徴とする。
【００１２】
請求項３の発明は、請求項１に記載の加圧ポンプの消音構造であって、前記第１ケースの端壁と前記他方の接続口を有する前記第２ケースの端壁とがそれぞれ別に設けられることで、前記第１ケースと第２ケースが別体に構成されており、前記第１ケースの端壁に、前記パイプを前記第１ケースの内部空間から外部に導出し得る挿通孔が設けられていることを特徴とする。
【００１３】
請求項４の発明は、請求項１〜３のいずれか１項に記載の加圧ポンプの消音構造であって、前記第１ケースが、円筒周壁と、該円筒周壁の両端を塞ぐ両端壁とを有しており、前記加圧ポンプが前記円筒周壁の内周に前記クッション材を介して支持されていることを特徴とする。
【発明の効果】
【００１４】
請求項１の発明によれば、加圧ポンプの吸気口を、第１ケースの内部空間を介して、第１ケースの壁部に設けた外気取入口に連通させているので、第１ケースがサイレンサとして機能し、加圧ポンプの吸気音を吸収することができる。また、加圧ポンプの排気口に、サイレンサとしての構成を備えた第２ケースを接続しているので、加圧ポンプの排気音を吸収することができる。
【００１５】
また、加圧ポンプを第１ケース内部に収容して、ケースと加圧ポンプとの間にクッション材を介在させている上、加圧ポンプの排気口を、柔軟性を有するパイプを介して、第２ケースの接続口と繋いでいるので、加圧ポンプの作動に伴う機械的な振動をできるだけ外部に漏らさないようにすることができ、機械的な振動による騒音を効果的に低減することができる。また、吸気音のサイレンサ用ケースと機械的な振動音を遮断するケースを第１ケースが兼ねているので、コンパクトな構造を実現することができる。
【００１６】
請求項２の発明によれば、第１ケースの端壁と第２ケースの端壁を兼用することにより、第１ケースと第２ケースを一体に結合しているので、構成を単純化することができ、小型軽量化を図ることができる。また、それにより、加圧ポンプの排気口と第２ケースの接続口を繋ぐパイプを、全長にわたり第１ケースの内部空間内に収容しているので、パイプを通して漏れ出る排気音を第１ケース内で吸収することができる。なお、パイプの長さを長くするほど、加圧ポンプの振動が第２ケースに伝わり難くなるので、振動音の低減上は好ましい効果を得ることができるが、そうすると、それだけ第１ケースも長くせざるを得なくなるので、コンパクト性との兼ね合いで、パイプの長さを決めるのがよい。
【００１７】
請求項３の発明によれば、第１ケースの端壁と第２ケースの端壁とをそれぞれ別に設けることで、第１ケースと第２ケースを別体に構成しているので、第１ケースと第２ケースを自由に離して配置することができ、第１ケース外に露出するパイプの長さを変えることで、第１ケースと第２ケースの離間距離を自由に変えることができる。また、第１ケース
内に収容されるパイプの長さの調整により、パイプを通して加圧ポンプから第１ケースに伝わる機械振動の吸収度合いを調節できる。
【００１８】
請求項４の発明によれば、第１ケースを円筒状に形成し、その円筒周壁によってクッション材を介して加圧ポンプを支持しているので、バランスよく安定的に加圧ポンプを支持することができ、第１ケースに加圧ポンプの振動が伝わり難くすることができる。
【発明を実施するための最良の形態】
【００１９】
以下、本発明の実施形態を図面を参照して説明する。
図１は第１実施形態の加圧ポンプの消音構造を示し、（ａ）は外観斜視図、（ｂ）は（ａ）のＩｂ−Ｉｂ矢視断面図、（ｃ）は（ｂ）のＩｃ−Ｉｃ断面図である。
【００２０】
実施形態の加圧ポンプの消音構造は、ケーシング１Ａに吸気口２と排気口３を形成した加圧ポンプ１と、加圧ポンプ１を収容する第１ケース１０と、第１ケース１０の前端側に配置された第２ケース２０と、柔軟性を有する材料よりなるパイプ３０と、を具備している。第１ケース１０と第２ケース２０は、硬質樹脂材料で構成されている。
【００２１】
第１ケース１０は、円筒周壁１１と、該円筒周壁１１の後端開口を塞ぐ後端壁１２とを有し、前端開口１５を第２ケース２０の後端壁２２で塞いだものであり、後端壁２２に外気取入口１３を有している。加圧ポンプ１は、その円筒状のケーシング１Ａの外周と第１ケース１０の円筒周壁１１の内周の間に介在させたクッション材８、９を介して、第１ケース１０の円筒周壁１１の内周に同心状に支持されている。クッション材８、９は、振動吸収性を持つように、弾力性のあるスポンジ状の材料で構成されており、図１（ｃ）に示すように、円周方向に等間隔で配置されている。
【００２２】
加圧ポンプ１は、ダイヤフラムやモータなどの機構部（図示略）をケーシング１Ａの内部に内蔵したものであり、ケーシング１Ａの内部に、吸気口２および排気口３の内側に位置するバッファ室４、５を有している。吸気口２は、ケーシング１Ａの胴部外周に１個〜数個設けられ、排気口３は、ケーシング１Ａの前端にノズル状に突設されている。そして、互いに離れた位置にある加圧ポンプ１の吸気口２と第１ケース１０の後端壁１２の外気取入口１３とが、第１ケースの内部空間１８を介して連通しており、これにより、第１ケース１０が吸気側のサイレンサの役割を果たすようになっている。
【００２３】
なお、加圧ポンプ１のケーシング１Ａの後端には、ケーシング１Ａの後端壁と第１ケース１０の後端壁１２が接触して外気取入口１３が塞がれないようにするための突起７が設けられている。
【００２４】
一方、排気側のサイレンサとして機能する第２ケース２０は、第１ケース１０の円筒周壁１１と同径の円筒周壁２１と、その円筒周壁２１の後端と前端を塞ぐ後端壁２２および前端壁２３と、それら後端壁２２と前端壁２３にそれぞれノズル状に突設された２つの接続口２４、２５とを有している。この場合、第１ケース１０の前端壁として第２ケース２０の後端壁２２が兼用されていることで、第１ケース１０と第２ケース２０が一体に結合されている。結合は、第１ケース１０の円筒周壁１１の前端に形成された環状段部１６に、第２ケース２０の後端壁２２に形成された環状段部２６を嵌合させることにより行われている。
【００２５】
第２ケース２０の両端の接続口２４、２５は、その内径が円筒周壁２１の内径（ケース内部寸法）よりもかなり小さく設定されており、前端側の接続口２５は外部に空気を送り出す送気口とされ、後端側の接続口は加圧ポンプ１の排気口との接続口とされている。そして、第１ケース１０の前端に第２ケース２０が結合されることによって、加圧ポンプ１
の排気口３と第２ケース２０の接続口２４が対向しており、これら排気口３と接続口２４が、柔軟性を有するパイプ３０によって互いに接続されている。本実施形態の場合は、その構造上、パイプ３０は全長にわたり第１ケース１０の内部空間１８内に収容されている。
【００２６】
この消音構造では、加圧ポンプ１が作動すると、第１ケース１０の後端の外気取入口１３から矢印Ａのように空気が吸い込まれ、第１ケース１０の内部空間１８を通って、加圧ポンプ１の吸気口２に矢印Ｂのように導入される。そして、圧力を持った状態で排気口３から矢印Ｃのように排出され、パイプ３０を通り、第２ケース２０内に導かれて、第２ケース２０の前端の接続口２５からカフ等へ向けて送り出される。
【００２７】
その際、第１ケース１０が吸気側のサイレンサとして機能するので、加圧ポンプ１の吸気音が吸収される。また、加圧ポンプ１の排気側には、サイレンサ機能を発揮する第２ケース２０が接続されているので、加圧ポンプ１の排気音も吸収され。また、加圧ポンプ１は第１ケース１０の内部に収容されて、クッション材８、９を介して第１ケース１０に支持されている上、加圧ポンプ１の排気口３が、柔軟性を有するパイプ３０を介して第２ケース２０の接続口２４に接続されているので、加圧ポンプ１の作動に伴う機械的な振動が、外部に伝わりにくくなる。そのため、機械的な振動による騒音を効果的に低減することができる。また、吸気音のサイレンサ用ケースと機械的な振動音を遮断するケースを第１ケース１０が兼ねているので、コンパクトな構造を実現することができる。
【００２８】
また、本実施形態においては、第１ケース１０の前端壁を第２ケース２０の後端壁２２で兼用することにより、第１ケース１０と第２ケース２０を一体に結合しているので、構成を単純化することができ、小型軽量化を図ることができる。また、それにより、加圧ポンプ１の排気口３と第２ケース２０の接続口２４を繋ぐパイプ３０が、全長にわたり第１ケース１０の内部空間１８内に収容されているので、パイプ３０を通して漏れ出る排気音を第１ケース１０内で吸収することができる。
【００２９】
なお、パイプ３０の長さを長くするほど、加圧ポンプ１の振動が第２ケース２０に伝わり難くなるので、振動音の低減上は好ましい効果を得ることができるが、そうすると、それだけ第１ケース１０も長くせざるを得なくなるので、コンパクト性との兼ね合いで、パイプ３０の長さを決めるのがよい。
【００３０】
また、第１ケース１０を円筒状に形成し、その円筒周壁１１によってクッション材８、９を介して加圧ポンプ１を支持しているので、バランスよく安定的に加圧ポンプ１を支持することができ、一層、第１ケース１０に加圧ポンプ１の振動が伝わり難くなる。
【００３１】
図２は第２実施形態の消音構造の断面図である。
この第２実施形態の第１実施形態との違いは、第１ケース１０の前端を、第２ケース２０の後端壁２２とは別に設けた前端壁４０で塞ぎ、その前端壁４０に、パイプ３０の挿通し得る挿通孔４４を設けたことである。それ以外は第１実施形態と同じであるので、説明を省略する。
【００３２】
この第２実施形態の消音構造では、第１ケース１の前端壁４０と第２ケース２０の後端壁２２とをそれぞれ別に設けることで、第１ケース１０と第２ケース２０を別体に構成しているので、第１ケース１０と第２ケース２０を、パイプ３０の長さを変えることで、自由に離して配置することができる。
【００３３】
即ち、図２の例では、パイプ３０の長さを最短にして、第１ケース１の前端壁４０と第２ケース２０の後端壁２２を接した状態にしているが、図３に示すように、パイプ３０の
長さを長くすることにより、第１ケース１０と第２ケース２０を離して配置することができる。
【００３４】
また、図３の（ａ）と（ｂ）とを比べてみると分かるように、第１ケース１０内における加圧ポンプ１０の支持位置を変えることによって、第１ケース１０外に露出するパイプ３０の長さＬ１、Ｌ２を変えることができると共に、第１ケース１０と第２ケース２０の離間距離を自由に変えることができる。また、第１ケース１０内に収容されるパイプ３０の長さの調整により、パイプ３０を通して加圧ポンプ１から第１ケース１０に伝わる機械振動の吸収度合いも調節することができる。
【図面の簡単な説明】
【００３５】
【図１】本発明の第１実施形態の加圧ポンプの消音構造を示し、（ａ）は外観斜視図、（ｂ）は（ａ）のＩｂ−Ｉｂ矢視断面図、（ｃ）は（ｂ）のＩｃ−Ｉｃ断面図である。
【図２】本発明の第２実施形態の加圧ポンプの消音構造の断面図である。
【図３】図２の消音構造におけるパイプ３０の長さを長くした場合の例を示す図で、（ａ）は第１ケース１０外に露出するパイプ３０の長さを短く設定した場合、（ａ）は第１ケース１０外に露出するパイプ３０の長さを長く設定した場合を示す断面図である。
【図４】従来のサイレンサ付き血圧計の概略構成を示すブロック図である。
【図５】従来の別のサイレンサ付き血圧計の概略構成を示すブロック図である。
【符号の説明】
【００３６】
１  加圧ポンプ
２  吸気口
３  排気口
８，９  クッション材
１０  第１ケース
１１  円筒周壁
１２  後端壁
１８  内部空間
１３  外気取入口
２０  第２ケース
２２  後端壁（第１ケースの前端壁）
２４，２５  接続口
３０  パイプ
４０  前端壁
４４  挿通孔
【図１】
2010007481.tif 000003
【図２】
2010007481.tif 000004
【図３】
2010007481.tif 000005
【図４】
2010007481.tif 000006
【図５】
2010007481.tif 000007